(57)【要約】【課題】エンジン搭載機器を用いた作業や走行等を中断することなくパティキュレートフィルタの再生を行うことができるエンジンの排気浄化システムを提供する。【解決手段】パティキュレートフィルタ１０に捕集されたパティキュレートを燃焼させて除去するための再生手段と、エンジン２の運転状態が定常状態であるか過渡状態であるかを判定するエンジン２の運転状態判定手段と、吸気絞り弁１２および排気絞り弁１３の開度と、エンジン２の回転数および負荷率と、の関係マップが記憶された記憶部７０と、を備え、ＥＣＵ３０は、記憶部７０の関係マップを参照して吸気絞り弁１２および／または排気絞り弁１３の少なくとも一方の目標開度を設定するとともに、エンジン２の前記運転状態判定手段の判定結果に応じて前記目標開度への変更速度を設定し、吸気絞り弁１２および／または排気絞り弁１３を、その設定した変更速度で前記目標開度をなすように制御する。【選択図】図１
2010270658.tif 000002
【特許請求の範囲】
【請求項１】
エンジンの排気経路の途中に配置され、パティキュレートを捕集するパティキュレートフィルタと、
前記エンジンの吸気経路に配置される吸気量調整手段と、
前記エンジンの前記排気経路に配置される排気量調整手段と、
前記吸気量調整手段および前記排気量調整手段を制御する制御手段と、を有するエンジンの排気浄化システムであって、
前記パティキュレートフィルタに捕集されたパティキュレートを燃焼させて除去するための再生手段と、
前記エンジンの運転状態が定常状態であるか過渡状態であるかを判定する該エンジンの運転状態判定手段と、
前記吸気量調整手段および前記排気量調整手段の動作と、前記エンジンの回転数および負荷率と、の関係マップが記憶された記憶手段と、を備え、
前記制御手段は、
前記記憶手段の関係マップを参照して前記吸気量調整手段および／または前記排気量調整手段の目標動作を設定するとともに、
前記エンジンの運転状態判定手段の判定結果に応じて前記目標動作への変更速度を設定し、
前記吸気量調整手段および／または前記排気量調整手段を、その設定した変更速度で前記目標動作をなすように制御する、
ことを特徴とするエンジンの排気浄化システム。
【請求項２】
前記記憶手段には、前記エンジンの燃料噴射弁の噴射時期、噴射回数、噴射圧と、前記エンジンの回転数および負荷率と、の前記燃料噴射用の関係マップが記憶され、
前記制御手段は、
前記燃料噴射用の関係マップを参照して前記燃料噴射弁の目標噴射時期、目標噴射回数、目標噴射圧の少なくともいずれか１つを設定するとともに、
前記エンジンの運転状態判定手段の判定結果に応じて前記目標噴射時期、前記目標噴射回数、前記目標噴射圧への変更速度を設定し、
前記燃料噴射弁を、その設定した変更速度で前記目標噴射時期、目標噴射回数、目標噴射圧の少なくともいずれか１つで噴射が行われるように制御する、
ことを特徴とする請求項１に記載のエンジンの排気浄化システム。
【請求項３】
前記エンジンの排気ガス温度を検出する排気温度検出手段を備え、
前記制御手段は、前記排気温度検出手段により検出された排気ガス温度に応じて、前記吸気量調整手段または前記排気量調整手段の一方を作動させ、
前記吸気量調整手段または前記排気量調整手段の一方の動作から設定時間の経過後、または排気ガス温度が設定温度に到達後に、前記吸気量調整手段または前記排気量調整手段の他方を作動させる、
ことを特徴とする請求項１または請求項２のいずれか１項に記載のエンジンの排気浄化システム。
【発明の詳細な説明】
【技術分野】
【０００１】
本発明は、エンジンの排気浄化システムの技術に関する。
【背景技術】
【０００２】
従来、エンジンから排出される排気ガス中に含まれるパティキュレートを捕集する技術として、パティキュレートフィルタを有する排気浄化装置が知られている。
前記パティキュレートフィルタは、セラミック等からなる多孔質のハニカム構造となっており、格子状に区画された各流路の入口が交互に目封じされている。そして、入口が目封じされていない流路については、その出口が目封じされるように構成され、各流路を区画する多孔質壁を透過した排気ガスのみが下流に排出される。排気ガスは、多孔室壁を透過する際に、排気ガス中のパティキュレートがその多孔室壁内部に捕集されることで浄化される。
【０００３】
しかし、多孔室壁内部に捕集されたパティキュレートは次第に堆積していくため、その堆積によって排気抵抗の増加やパティキュレートフィルタの入口側と出口側との差圧等が発生して、エンジンの性能に影響を及ぼすことがあった。よって、前記パティキュレートフィルタに堆積したパティキュレートを適宜に燃焼除去して、パティキュレートフィルタの再生を行う必要がある。
【０００４】
そこで、エンジンに備えられる燃料噴射弁を制御して、いわゆるポスト噴射（メイン噴射後に行われる燃料噴射であって、シリンダ内で燃焼させずに排気とともに未燃の炭化水素（ＨＣ）をパティキュレートフィルタに供給することを狙った燃料噴射）を行う技術が公知となっている。例えば、特許文献１の如くである。
この技術では、未燃の炭化水素（ＨＣ）をパティキュレートフィルタに担持されている酸化触媒で反応させ、その反応熱を利用してパティキュレートフィルタに堆積したパティキュレートを燃焼除去する。
【０００５】
しかし、特許文献１に記載の技術は、燃料噴射弁のポスト噴射により強制的に排気浄化装置内の排気ガスを昇温させるものであるので、エンジンの運転状態が急変する恐れがある。よって、パティキュレートフィルタの再生を行う場合、前記排気浄化装置を備えた車両等のエンジン搭載機器の動作を停止させる必要がある。
【先行技術文献】
【特許文献】
【０００６】
【特許文献１】特開２００３−８３１３９号公報
【発明の概要】
【発明が解決しようとする課題】
【０００７】
本発明は、上記のような問題点に鑑みてなされるものであり、その解決しようとする課題は、エンジン搭載機器を用いた作業や走行等を中断することなくパティキュレートフィルタの再生を行うことができるエンジンの排気浄化システムを提供するものである。
【課題を解決するための手段】
【０００８】
本発明の解決しようとする課題は以上の如くであり、次にこの課題を解決するための手段を説明する。
【０００９】
即ち、請求項１においては、エンジンの排気経路の途中に配置され、パティキュレートを捕集するパティキュレートフィルタと、前記エンジンの吸気経路に配置される吸気量調整手段と、前記エンジンの前記排気経路に配置される排気量調整手段と、前記吸気量調整手段および前記排気量調整手段を制御する制御手段と、を有するエンジンの排気浄化システムであって、前記パティキュレートフィルタに捕集されたパティキュレートを燃焼させて除去するための再生手段と、前記エンジンの運転状態が定常状態であるか過渡状態であるかを判定する該エンジンの運転状態判定手段と、前記吸気量調整手段および前記排気量調整手段の動作と、前記エンジンの回転数および負荷率と、の関係マップが記憶された記憶手段と、を備え、前記制御手段は、前記記憶手段の関係マップを参照して前記吸気量調整手段および／または前記排気量調整手段の目標動作を設定するとともに、前記エンジンの運転状態判定手段の判定結果に応じて前記目標動作への変更速度を設定し、前記吸気量調整手段および／または前記排気量調整手段を、その設定した変更速度で前記目標動作をなすように制御するものである。
【００１０】
請求項２においては、前記記憶手段には、前記エンジンの燃料噴射弁の噴射時期、噴射回数、噴射圧と、前記エンジンの回転数および負荷率と、の前記燃料噴射用の関係マップが記憶され、前記制御手段は、前記燃料噴射用の関係マップを参照して前記燃料噴射弁の目標噴射時期、目標噴射回数、目標噴射圧の少なくともいずれか１つを設定するとともに、前記エンジンの運転状態判定手段の判定結果に応じて前記目標噴射時期、前記目標噴射回数、前記目標噴射圧への変更速度を設定し、前記燃料噴射弁を、その設定した変更速度で前記目標噴射時期、目標噴射回数、目標噴射圧の少なくともいずれか１つで噴射が行われるように制御するものである。
【００１１】
請求項３においては、前記エンジンの排気ガス温度を検出する排気温度検出手段を備え、前記制御手段は、前記排気温度検出手段により検出された排気ガス温度に応じて、前記吸気量調整手段または前記排気量調整手段の一方を作動させ、前記吸気量調整手段または前記排気量調整手段の一方の動作から設定時間の経過後、または排気ガス温度が設定温度に到達後に、前記吸気量調整手段または前記排気量調整手段の他方を作動させるものである。
【発明の効果】
【００１２】
本発明の効果として、以下に示すような効果を奏する。
【００１３】
請求項１においては、エンジンで燃料噴射弁のポスト噴射を行わずにパティキュレートフィルタの再生を適切に行うことが可能となり、エンジン搭載機器の動作を停止させずに済む。したがって、パティキュレートフィルタの再生を行う際、エンジン搭載機器を用いた作業を継続して行うことができる。
【００１４】
請求項２においては、エンジンで燃料噴射弁のポスト噴射を行わずにパティキュレートフィルタの再生をさらに適切に行うことが可能となり、エンジン搭載機器の動作を停止させずに済む。したがって、パティキュレートフィルタの再生を行う際、エンジン搭載機器を用いた作業を継続して行うことができる。
【００１５】
請求項３においては、エンジンで燃料噴射弁のポスト噴射を行わずにパティキュレートフィルタの再生をさらに適切に行うことが可能となり、エンジン搭載機器の動作を停止させずに済む。したがって、パティキュレートフィルタの再生を行う際、エンジン搭載機器を用いた作業を継続して行うことができる。
【図面の簡単な説明】
【００１６】
【図１】本発明に係るエンジンの排気浄化システムの構成を示す概略図。
【図２】パティキュレートフィルタの再生制御を示すフローチャート図。
【図３】図２において、排気浄化装置内の排気温度が所定温度より高温であった場合のパティキュレートフィルタの再生制御を示すフローチャート図。
【図４】図２において、排気浄化装置内の排気温度が所定温度より低温であった場合のパティキュレートフィルタの再生制御を示すフローチャート図。
【図５】吸気絞り弁および排気絞り弁の目標開度の設定手順を示すフローチャート図。
【図６】燃料噴射弁の目標噴射時期および目標噴射圧の設定手順を示すフローチャート図。
【図７】適用フィルタの設定手順を示すフローチャート図。
【図８】制御構成を示すブロック図。
【発明を実施するための形態】
【００１７】
以下に、本発明に係るエンジンの排気浄化システムの一実施形態について図面に基づいて説明する。
【００１８】
排気浄化システム１は、図１に示すように、エンジン２から排出される排気を浄化するものである。排気浄化システム１は、エンジン２に設けられ、パティキュレートフィルタ１０および酸化触媒１１を有する排気浄化装置、吸気絞り弁１２、排気絞り弁１３、堆積量検出センサ３３、温度センサ２１、エンジン回転数検出センサ２２、エンジン負荷検出センサ２３、エンジン制御手段であるＥＣＵ３０等を具備する。
【００１９】
エンジン２は、単数または複数の気筒を備え、前記気筒内部に噴射される燃料を燃焼させることで発生するエネルギーを回転動力に変換するものである。エンジン２は、吸気経路３を介して供給される外気と燃料噴射弁４・４・４・４から供給される燃料とを気筒５・５・５・５内において混合燃焼させる。この際に発生する排気は、排気経路６を介して排出される。なお、本実施形態に係るエンジン２は直列四気筒としたが、これに限定されない。
【００２０】
また、燃料噴射弁４は、コモンレールからの高圧の燃料を燃料噴射用アクチュエータ７としてのソレノイドにより弁体を開閉して気筒５へ噴射する際の噴射時期、噴射圧、噴射回数等を変更することによって、エンジン２の回転数や負荷等の変更や、排気ガスの温度の変更や、排気ガスへの未燃燃料の供給を行うことができるように構成される。但し、ラック式の電子ガバナ等によっても実現可能である。
【００２１】
パティキュレートフィルタ１０は、エンジン２の排気経路６に配設され、排気中のパティキュレート（炭素質からなる煤、高沸点炭化水素成分（ＳＯＦ）等）を除去するものである。パティキュレートフィルタ１０は、具体的にはセラミック等の多孔質壁からなるハニカム構造であり、排気は必ず前記多孔質壁を透過した後に排出されるように構成される。パティキュレートフィルタ１０は、排気が前記多孔質壁を通過する際に排気中のパティキュレートを捕集する。その結果、排気からパティキュレートが除去される。
【００２２】
酸化触媒１１は、排気ガス中の一酸化炭素と炭化水素と窒素化合物を酸化するものである。酸化触媒１１は、排気経路６のパティキュレートフィルタ１０よりも上流側に配設され、パティキュレートの酸化除去を促進させる。
【００２３】
吸気絞り弁１２は、エンジン２の吸気経路３に配設され、吸気絞り用アクチュエータ１５の駆動により開度を変更可能に構成される。吸気絞り弁１２は開度を変更することにより、エンジン２の吸気経路３内を流通する吸気の流通量を調整し、その結果として排気ガスの温度や速度を変更することができる。吸気絞り弁１２には、吸気絞りセンサ１４が接続される。吸気絞りセンサ１４は、吸気絞り弁１２の開度を検出するものである。
なお、吸気絞り弁１２は吸気量調整手段の一例であり、これに限定されず、吸気経路３内を流通する吸気の流通量を調整することができるものであればよい。また、吸気絞り弁１２の開度とは、吸気量調整手段の動作のことであり、本実施形態においては、吸気経路３の開閉度合いのことを指すものである。
【００２４】
排気絞り弁１３は、エンジン２の排気経路６で酸化触媒１１よりも上流側に配設され、排気絞り用アクチュエータ２５の駆動により開度を変更可能に構成される。排気絞り弁１３は開度を変更することにより、エンジン２の排気経路６内を流通する排気（排気ガス）の流通量を調整し、排気ガスの圧力や速度を変更することができる。排気絞り弁１３には、排気絞りセンサ２４が接続される。排気絞りセンサ２４は、排気絞り弁１３の開度を検出するものである。
なお、排気絞り弁１３は排気量調整手段の一例であり、これに限定されず、排気経路６内を流通する排気ガスの流通量を調整することができるものであればよい。また、排気絞り弁１３の開度とは、排気量調整手段の動作のことであり、本実施形態においては、排気経路６の開閉度合いのことを指すものである。
【００２５】
堆積量検出センサ３３は、パティキュレートフィルタ１０の入口側と出口側との差圧や、パティキュレートフィルタ１０を通過する排気ガスの流通量から、該パティキュレートフィルタ１０に捕集されたパティキュレートの堆積量を検出するものである。
【００２６】
温度センサ２１は、パティキュレートフィルタ１０の出口側（下流側）に配設され、パティキュレートフィルタ１０を通過した排気ガスの温度を検出するものである。
なお、温度センサ２１は、排気温度検出手段の一例であり、これに限定されず、排気ガスの温度を検出することができるものであればよい。
【００２７】
エンジン回転数検出センサ２２は、エンジン２の図示せぬクランク軸の回転数を検出するものである。
【００２８】
エンジン負荷検出センサ２３は、エンジン２の図示せぬクランク軸の軸トルクを検出するものである。但し、エンジン負荷は、設定回転数と実回転数から求めたり、設定燃料噴射量に対する実燃料噴射量等から求めたりすることも可能である。
【００２９】
次に、ＥＣＵ３０について説明する。
【００３０】
ＥＣＵ３０は制御手段の一例であり、演算処理を実行する中央演算処理装置（ＣＰＵ）等の演算部や記憶部７０（ＲＡＭやＲＯＭ）やインターフェース等からなり、種々のセンサ等からの信号を入力可能とされる。そして、燃料噴射用アクチュエータ７へ出力する制御プログラム等がＲＯＭに格納される。
【００３１】
記憶部７０には、吸気絞り弁１２および排気絞り弁１３の開度と、エンジン２の回転数および負荷率から導き出されるエンジン状態と、の関係マップ（吸気絞り弁マップおよび排気絞り弁マップ）が記憶されている。そして、吸気絞り弁１２および排気絞り弁１３の開度は、エンジン２の回転数および負荷率から導き出されるエンジン状態から、前記関係マップである吸気絞り弁マップおよび排気絞り弁マップをそれぞれ参照して前記演算部により演算されるように構成される。
【００３２】
ＥＣＵ３０は、図８に示すように、燃料噴射用アクチュエータ７、エンジン回転数検出センサ２２、エンジン負荷検出センサ２３、吸気絞りセンサ１４、吸気絞り用アクチュエータ１５、排気絞りセンサ２４、排気絞り用アクチュエータ２５、堆積量検出センサ３３、温度センサ２１等に接続される。
【００３３】
また、ＥＣＵ３０は、前記エンジン２のエンジン回転数検出センサ２２およびエンジン負荷検出センサ２３が検出した検出結果に基づいて、エンジン２の運転状態が定常状態であるか過渡状態であるかを判定するものである。すなわち、ＥＣＵ３０は、本発明の一実施形態においてエンジン２の運転状態判定手段を有するものである。
なお、エンジン２の運転状態判定手段は、これに限定されるものではなく、エンジン２の運転状態を定常状態であるか過渡状態であるかを判定することができるものであればよい。
【００３４】
また、ＥＣＵ３０は、パティキュレートフィルタ１０の再生を行う、すなわちパティキュレートフィルタ１０に捕集されて堆積したパティキュレートを燃焼除去するための再生手段を備え、エンジン２の排気浄化システムの制御を行う機能を有するものである。
なお、パティキュレートフィルタ１０の再生手段は、これに限定されるものではなく、パティキュレートフィルタ１０に捕集されて堆積したパティキュレートを燃焼除去することができるものであればよい。
【００３５】
そして、ＥＣＵ３０は、パティキュレートフィルタ１０の再生を行う際に、各アクチュエータ７・１５・２５を駆動制御することができるように構成される。
【００３６】
具体的には、ＥＣＵ３０は、燃料噴射用アクチュエータ７を駆動制御して燃料噴射弁４の噴射時期、噴射回数、噴射圧を変更することが可能であるように構成される。なお、電子ガバナの場合には、ラックを移動させる速度を変更することができる。
【００３７】
また、ＥＣＵ３０は、吸気絞り用アクチュエータ１５を駆動制御して吸気絞り弁１２の開度を変更することが可能であり、且つ開度の変更速度、つまり、吸気絞り弁１２の弁体を構成するバタフライ弁の回動速度を自在に変更することが可能であるように構成される。
【００３８】
また、ＥＣＵ３０は、排気絞り用アクチュエータ２５を駆動制御して排気絞り弁１３の開度を変更することが可能であり、且つ開度の変更速度、つまり、排気絞り弁１３の弁体を構成するバタフライ弁の回動速度を自在に変更することが可能であるように構成される。
【００３９】
本発明の一実施形態に係るエンジン２の排気浄化システム１は、排気ガスの温度を従来は６００℃程度にまで昇温させていたのを、従来よりも低い４００℃程度まで昇温させることによって、パティキュレートフィルタ１０の再生を実行可能とするものである。
この再生実行時には、燃料噴射弁４によるポスト噴射を行わず、吸気絞り弁１２および排気絞り弁１３の開度の変更や、この開度の変更に加えて行われる燃料噴射弁４の噴射時期、噴射回数、噴射圧の変更により、エンジン２から排出される排気ガスを４００℃程度にまで昇温させる。
【００４０】
これによって、パティキュレートフィルタ１０の再生を行うのに、燃料噴射弁４のポスト噴射を行う必要がない。よって、本発明の一実施形態に係るエンジン２の排気浄化システム１を備えたエンジン搭載機器、本実施形態においては作業車両を、走行させている場合であっても、パティキュレートフィルタ１０の再生を行うために、一時的に停止させる必要がない。すなわち、パティキュレートフィルタ１０の再生を行っている間であっても、作業車両を走行させるなどしてこれを用いた作業を行うことができる。
なお、エンジン搭載機器は、これに限定されるものではなく、エンジン発電機や船舶などであってもよい。
【００４１】
以下に、かかる効果を奏する前記パティキュレートフィルタ１０の再生制御について、フローチャートを用いて説明する。
なお、同一の処理を行うステップに関しては、同一の符号を付してその詳細な説明を省略する。
【００４２】
まず、図２に示すように、パティキュレートフィルタ１０の出口側（下流側）における排気ガス温度Ｔｄｐｆが、排気ガス温度検出センサにより検出され（Ｓ１０）、その排気ガス温度Ｔｄｐｆが第一設定温度よりも高温であるか否かがＥＣＵ３０により判定される（Ｓ１１）。
【００４３】
以下、図３を用いて、排気ガス温度Ｔｄｐｆが第一設定温度よりも高温である場合について説明する。
【００４４】
ＥＣＵ３０により排気ガス温度Ｔｄｐｆに応じて排気絞り弁１３の目標開度が設定され（Ｓ１２）、後述する適用フィルタによる処理を施して排気絞り弁１３を目標開度へ変更する際の弁体の変更速度が設定される（Ｓ１３）。そして、かかる設定に応じてＥＣＵ３０による開度指示がなされ（Ｓ１４）、排気絞り弁１３は、ＥＣＵ３０による排気絞り用アクチュエータ２５の駆動制御によって、その設定に応じた開度の変更を開始する。
【００４５】
また、排気絞り弁１３の開度と同様に燃料噴射弁４の噴射時期、噴射回数、噴射圧について、ＥＣＵ３０により目標噴射時期、目標噴射回数、目標噴射圧の少なくともいずれか１つが設定される構成であって、後述する適用フィルタ（噴射時期フィルタ、噴射回数フィルタ、噴射圧フィルタ）による処理を施して、前記設定された目標噴射時期、目標噴射回数、目標噴射圧への変更速度が設定される構成とすることができる。
かかる設定に応じてＥＣＵ３０による燃料噴射の変更指示がなされ、燃料噴射弁４は、ＥＣＵ３０による燃料噴射用アクチュエータ７の駆動制御によって、その設定に応じた目標噴射時期、目標噴射回数、目標噴射圧に現時点の噴射時期、噴射回数、噴射圧を変更する。
【００４６】
この構成においては、まずＥＣＵ３０により吸気絞り弁タイマーフラグ＝０であるか否かが判定される（Ｓ１５）。
なお、吸気絞り弁タイマーフラグとは、吸気絞り弁１２の目標開度の設定からその目標開度への開度の変更、つまりステップ１６〜ステップ１８が、所定時間の経過後に実行されるためのフラグである。
【００４７】
そして、吸気絞り弁タイマーフラグ＝０である場合、つまり、吸気絞り弁１２を所定時間後に作動させるフラグが立っていない（信号がＯＦＦである）場合には、ＥＣＵ３０により吸気絞り弁１２の目標開度が設定され（Ｓ１６）、後述する適用フィルタによる処理を施して吸気絞り弁１２を目標開度へ変更する際の弁体の変更速度が設定される（Ｓ１７）。そして、かかる設定に応じてＥＣＵ３０による開度指示がなされ（Ｓ１８）、吸気絞り弁１２は、ＥＣＵ３０による吸気絞り用アクチュエータ１５の駆動制御によって、その設定に応じた開度の変更を開始する。
なお、この場合において排気絞り弁１３および吸気絞り弁１２は、それぞれの開度の変更を同時に開始するものである。
【００４８】
一方、吸気絞り弁タイマーフラグ＝０ではない（吸気絞り弁タイマーフラグ＝１である）場合、つまり、吸気絞り弁１２を所定時間後に作動させるフラグが立っている（信号がＯＮである）場合、ＥＣＵ３０により吸気絞り弁タイマーのカウントが開始され、所定時間を経過したならば（Ｓ１９）、吸気絞り弁タイマーフラグ＝０となり（Ｓ２０）、ＥＣＵ３０により吸気絞り弁１２の目標開度が設定されることになる（Ｓ１６）。
【００４９】
また、ＥＣＵ３０による吸気絞り弁タイマーのカウントによらずとも、パティキュレートフィルタ１０の出口側における排気ガス温度Ｔｄｐｆが第二設定温度に到達すれば（Ｓ２１）、ＥＣＵ３０により吸気絞り弁１２の目標開度が設定されることになる（Ｓ１６）。
【００５０】
以下、図５を用いて、前記目標開度の設定について説明する。
【００５１】
エンジン２のエンジン回転数検出センサ２２は、エンジン２の回転数を一定間隔毎に検出する（Ｓ６０）。そして検出された検出結果をフィルタにかける（Ｓ６１）。
また、エンジン２のエンジン負荷検出センサ２３は、エンジン２の負荷を一定間隔毎、すなわち負荷率を検出する（Ｓ６２）。そして検出された検出結果をフィルタにかける（Ｓ６３）。
【００５２】
そして、ＥＣＵ３０により前記回転数および前記負荷率のフィルタを通過した値によりエンジン状態が判定される（Ｓ６４）。
【００５３】
そして、判定された前記エンジン状態に応じて、吸気絞り弁１２においては、前記関係マップである吸気絞り弁マップを参照して（Ｓ６５）、前記吸気絞り弁１２の目標開度が設定される（Ｓ６６）。一方、排気絞り弁１３においては、前記関係マップである排気絞り弁マップを参照して（Ｓ６７）、前記排気絞り弁１３の目標開度が設定される（Ｓ６８）。
【００５４】
なお、フィルタとは、所定の範囲または所定の値以上、または、所定の値以下の信号を通過させるものであり、各センサ２２・２３により検出される値が所望の範囲または所望の値以内に入っているかを判断できる。
【００５５】
また、前述したように燃料噴射弁４においても、図５に示したような吸気絞り弁１２および排気絞り弁１３の目標開度の設定と同様の手順にて燃料噴射弁４の目標噴射時期、目標噴射回数、目標噴射圧の少なくともいずれか１つが設定される構成とすることができる。
以下、燃料噴射弁４の前記目標噴射時期、目標噴射回数、目標噴射圧の設定について説明する。
【００５６】
前記ＥＣＵ３０の記憶部７０には、燃料噴射弁４の噴射時期、噴射回数、噴射圧と、エンジン２の回転数および負荷率から導き出されるエンジン状態と、の関係マップ（噴射時期マップ、噴射回数マップ、噴射圧マップ）が記憶されている。そして、燃料噴射弁４の噴射時期、噴射回数、噴射圧は、エンジン２の回転数および負荷率から導き出されるエンジン状態から、前記関係マップである噴射時期マップ、噴射回数マップ、噴射圧マップをそれぞれ参照して前記演算部により演算されるように構成される。
【００５７】
具体的には、図６に示すように、ＥＣＵ３０により前記回転数および前記負荷率のフィルタを通過した値によりエンジン状態が判定された（Ｓ６４）あと、判定された前記エンジン状態に応じて、燃料噴射弁４の噴射時期においては、前記関係マップである噴射時期マップを参照して（Ｓ６９）、燃料噴射弁４の目標噴射時期が設定される（Ｓ７０）。また、燃料噴射弁４の噴射回数においては、前記関係マップである噴射回数マップを参照して（Ｓ７１）、燃料噴射弁４の目標噴射回数が設定される（Ｓ７２）。また、燃料噴射弁４の噴射圧においては、前記関係マップである噴射圧マップを参照して（Ｓ７３）、燃料噴射弁４の目標噴射圧が設定される（Ｓ７４）。
【００５８】
以下、図７を用いて、前記適用フィルタについて説明する。
【００５９】
適用フィルタは、検出したエンジン２の回転数および負荷の値をそれぞれ通過させることにより、そこから所定以上（または以下）の値を除くものである。
ＥＣＵ３０は、その除かれた後の値からエンジン２の運転状態を定常状態であるか過渡状態であるかを判定して、その判定結果から排気絞り弁１３および吸気絞り弁１２が開度を変更する際の変更速度を設定するものである。
また、ＥＣＵ３０は、前記定常状態であるか過渡状態であるかの判定結果から、燃料噴射弁４の噴射時期、噴射回数、噴射圧を変更する際の変更速度を設定する構成とすることができる。
【００６０】
図７に示すように、定常状態であるか過渡状態であるかのエンジン２の運転状態は、運転状態判定手段（ＥＣＵ３０）により、エンジン２が加速状態のとき立てられる（１となる）加速フラグ（Ｓ５０）と、負荷の投入時に立てられる（１となる）負荷投入フラグ（Ｓ５１）から判定することもできる。
なお、本実施形態においては、加速フラグは、エンジン回転数が設定加速度以上となったときに立てられ（信号がＯＮになり）、負荷投入フラグは負荷が設定負荷以上となったときに立てられる（信号がＯＮになる）。
【００６１】
そして、エンジン２の運転状態検出手段であるＥＣＵ３０により、加速フラグおよび負荷投入フラグの検知結果に基づいてエンジン２の運転状態が過渡状態であるか否かが判定される（Ｓ５２）。
【００６２】
そして、エンジン２の運転状態が過渡状態であると判定された場合には、検知信号は過渡用フィルタを通過させるようにし（Ｓ５３）、過渡状態用の適用フィルタが適用される（Ｓ５５）。
また、エンジン２の運転状態が過渡状態でない（定常状態である）と判定された場合には、検知信号は定常用フィルタを通過させるようにして（Ｓ５４）、定常状態用の適用フィルタが適用される（Ｓ５５）。
【００６３】
次に、図４を用いて、排気ガス温度Ｔｄｐｆが第一設定温度以下である場合について説明する。
【００６４】
この場合、まずＥＣＵ３０により排気絞り弁１３の目標開度が設定され（Ｓ３０）、前記適用フィルタによる処理を施して排気絞り弁１３を目標開度へ変更する際の弁体の変更速度が設定される（Ｓ３１）。そして、かかる設定に応じてＥＣＵ３０による開度指示がなされ（Ｓ３２）、排気絞り弁１３は、ＥＣＵ３０による排気絞り用アクチュエータ２５の駆動制御によって、その設定に応じた開度の変更を開始する。
【００６５】
また、排気絞り弁１３の開度と同様に燃料噴射弁４の噴射時期、噴射回数、噴射圧について、ＥＣＵ３０により目標噴射時期、目標噴射回数、目標噴射圧の少なくともいずれか１つが設定される構成であって、前記適用フィルタである噴射時期フィルタ、噴射回数フィルタ、噴射圧フィルタによる処理を施して、前記設定された目標噴射時期、目標噴射回数、目標噴射圧への変更速度が設定される構成とすることができる。
かかる設定に応じてＥＣＵ３０による燃料噴射の変更指示がなされ、燃料噴射弁４は、ＥＣＵ３０による燃料噴射用アクチュエータ７の駆動制御によって、その設定に応じた目標噴射時期、目標噴射回数、目標噴射圧に現時点の噴射時期、噴射回数、噴射圧を変更する。
上記の場合、排気ガス温度が低いため、エンジン自体が冷えた状態であり、酸化触媒１１が活性する温度にも達していないため、排気絞り弁１３は全開とし、燃料噴射弁４は完全燃焼するように設定される。
【００６６】
次に、吸気絞り弁フラグ＝１であるか否かがＥＣＵ３０により判定される（Ｓ３３）。
【００６７】
まず、吸気絞り弁フラグは後述するように、エンジン始動後の所定時間経過後に立てられる（１とされる）ものである。
エンジン始動時や低温時においては、吸気絞り弁フラグは１ではなく、０としており（吸気絞り弁フラグ＝０）、この場合、まず吸気絞り弁タイマーフラグ＝１であるか否かがＥＣＵ３０により判定される（Ｓ３４）。
【００６８】
吸気絞り弁タイマーフラグ＝１ではない場合、ＥＣＵ３０により吸気絞り弁タイマーのカウント値がリセットされ（Ｓ４１）、吸気絞り弁タイマーフラグを１として（Ｓ４２）、吸気絞り弁タイマーのカウントを開始する（Ｓ４３）。そして、吸気絞り弁タイマーのカウントが所定時間を経過したならば（Ｓ３５）、吸気絞り弁タイマーフラグが０とされ（Ｓ３６）、吸気絞り弁フラグを１とする（Ｓ３７）。
【００６９】
また、ステップ３４において、吸気絞り弁タイマーフラグが１である場合、パティキュレートフィルタ１０の出口側の排気ガス温度Ｔｄｐｆが第二設定温度に到達すれば（Ｓ４４）、吸気絞り弁フラグを１とする（Ｓ３７）。
【００７０】
そして、吸気絞り弁フラグが１となると（Ｓ３７）、ＥＣＵ３０により吸気絞り弁１２の目標開度が設定され（Ｓ３８）、適用フィルタによる処理を施して吸気絞り弁１２を目標開度へ変更する際の弁体の変更速度が設定される（Ｓ３９）。そして、かかる設定に応じてＥＣＵ３０による開度指示がなされ（Ｓ４０）、吸気絞り弁１２は、ＥＣＵ３０による吸気絞り用アクチュエータ１５の駆動制御によって、その設定に応じた開度の変更を開始する。
【００７１】
また、ステップ３３において、吸気絞り弁フラグが１である場合も、ＥＣＵ３０により吸気絞り弁１２の目標開度が設定され（Ｓ３８）、前記同様に適用フィルタによる処理を施して（Ｓ３９）、開度指示がなされる（Ｓ４０）。吸気絞り弁１２は、ＥＣＵ３０による吸気絞り用アクチュエータ１５の駆動制御によって、その設定に応じた開度の変更を開始する。
【００７２】
以上のような制御の構成により、パティキュレートフィルタ１０の再生制御が開始される。
【００７３】
そして、パティキュレートフィルタ１０の再生を行っている間の吸気絞り弁１２および排気絞り弁１３は、前記適用フィルタによる処理を施して弁体の変更速度が設定される。
また、燃料噴射弁４の噴射時期、噴射回数、噴射圧についても、前記適用フィルタ（噴射時期フィルタ、噴射回数フィルタ、噴射圧フィルタ）による処理を施して変更速度が設定される構成とすることができる。
【００７４】
また、パティキュレートフィルタ１０の再生処理は、吸気絞り弁１２または排気絞り弁１３の少なくともいずれか一方が開度の変更を開始してから所定時間経過後、または堆積量検出センサ３３により検出されるパティキュレートフィルタ１０に捕集されたパティキュレートの堆積量が所定量より減少後に、実行を終了する。
【００７５】
再生処理の実行の終了時には、吸気絞り弁１２および排気絞り弁１３の開度を全開するように構成される。この場合、吸気絞り弁１２および排気絞り弁１３は、適用フィルタによる処理を施して開度を全開する際の弁体の変更速度が設定される。
また、燃料噴射弁４の噴射時期、噴射回数、噴射圧についても、前記適用フィルタ（噴射時期フィルタ、噴射回数フィルタ、噴射圧フィルタ）による処理を施して変更速度が設定される構成とすることができる。
【００７６】
以上のように、本発明の一実施形態に係るエンジン２の排気浄化システムは、
エンジン２の排気経路６の途中に配置され、パティキュレートを捕集するパティキュレートフィルタ１０と、
エンジン２の吸気経路３に配置される吸気絞り弁（吸気量調整手段）１２と、
エンジン２の排気経路６に配置される排気絞り弁（排気量調整手段）１３と、
吸気絞り弁１２および排気絞り弁１３を制御するＥＣＵ（制御手段）３０と、を有するエンジン２の排気浄化システム１であって、
パティキュレートフィルタ１０に捕集されたパティキュレートを燃焼させて除去するための再生手段と、
エンジン２の運転状態が定常状態であるか過渡状態であるかを判定する該エンジン２の運転状態判定手段と、
吸気絞り弁１２および排気絞り弁１３の開度と、エンジン２の回転数および負荷率と、の関係マップが記憶された記憶部（記憶手段）７０と、を備え、
ＥＣＵ３０は、
記憶部７０の関係マップを参照して吸気絞り弁１２および／または排気絞り弁１３の少なくとも一方の目標開度を設定するとともに、
エンジン２の前記運転状態判定手段の判定結果に応じて前記目標開度への変更速度を設定し、
吸気絞り弁１２および／または排気絞り弁１３を、その設定した変更速度で前記目標開度をなすように制御するものである。
【００７７】
このように構成することによって、エンジン２で燃料噴射弁４のポスト噴射を行わずにパティキュレートフィルタ１０の再生を適切に行うことが可能となり、エンジン搭載機器である作業車両の動作を停止させずに済む。したがって、パティキュレートフィルタ１０の再生を行う際、作業車両を用いた作業を継続して行うことができる。
また、その場合に吸気絞り弁１２および排気絞り弁１３の開度の変更する際の弁体の変更速度を適切に設定することができるので、パティキュレートフィルタ１０の再生にともなう排気ガスの色の変化や臭いの発生、または騒音の発生等を軽減することができ、操縦者の操作環境の悪化を防ぐことができる。
【００７８】
また、本発明の一実施形態に係るエンジン２の排気浄化システム１は、
記憶部７０には、エンジン２の燃料噴射弁４の噴射時期、噴射回数、噴射圧と、エンジン２の回転数および負荷率と、の燃料噴射用の関係マップが記憶され、
ＥＣＵ３０は、
前記燃料噴射用の関係マップを参照して燃料噴射弁４の目標噴射時期、目標噴射回数、目標噴射圧の少なくともいずれか１つを設定するとともに、
エンジン２の前記運転状態判定手段の判定結果に応じて前記目標噴射時期、前記目標噴射回数、前記目標噴射圧への変更速度を設定し、
燃料噴射弁４を、その設定した変更速度で前記目標噴射時期、目標噴射回数、目標噴射圧の少なくともいずれか１つで噴射が行われるように制御するものである。
【００７９】
このように構成することによって、エンジン２で燃料噴射弁４のポスト噴射を行わずにパティキュレートフィルタ１０の再生をさらに適切に行うことが可能となり、エンジン搭載機器である作業車両の動作を停止させずに済む。したがって、パティキュレートフィルタ１０の再生を行う際、作業車両を用いた作業を継続して行うことができる。
また、その場合に燃料噴射弁４の噴射時期、噴射回数、噴射時期を変更する際の変更速度を適切に設定することができるので、パティキュレートフィルタ１０の再生にともなう排気ガスの色の変化や臭いの発生、または騒音の発生等を軽減することができ、操縦者の操作環境の悪化を防ぐことができる。
【００８０】
また、本発明の一実施形態に係るエンジン２の排気浄化システム１は、
エンジン２の排気ガス温度を検出する温度センサ２１を備え、
ＥＣＵ３０は、温度センサ２１により検出された排気ガス温度に応じて、吸気絞り弁１２または排気絞り弁１３の一方を作動させ、
吸気絞り弁１２または排気絞り弁１３の一方の動作から設定時間の経過後、または排気ガス温度が設定温度に到達後に、吸気絞り弁１２または排気絞り弁１３の他方を作動させるものである。
【００８１】
このように構成することによって、エンジン２で燃料噴射弁４のポスト噴射を行わずにパティキュレートフィルタ１０の再生をさらに適切に行うことが可能となり、エンジン搭載機器である作業車両の動作を停止させずに済む。したがって、パティキュレートフィルタ１０の再生を行う際、作業車両を用いた作業を継続して行うことができる。
また、パティキュレートフィルタ１０の再生にともなう排気ガスの色の変化や臭いの発生、または騒音の発生等を軽減することができ、操縦者の操作環境の悪化を防ぐことができる。
【符号の説明】
【００８２】
１      排気浄化システム
２      エンジン
３      吸気経路
４      燃料噴射弁
５      気筒
６      排気経路
１０    パティキュレートフィルタ
１１    酸化触媒
１２    吸気絞り弁
１３    排気絞り弁
３０    ＥＣＵ
【図１】
2010270658.tif 000003
【図２】
2010270658.tif 000004
【図３】
2010270658.tif 000005
【図４】
2010270658.tif 000006
【図５】
2010270658.tif 000007
【図６】
2010270658.tif 000008
【図７】
2010270658.tif 000009
【図８】
2010270658.tif 000010